(57)【要約】【課題】光源部とパネル部を分離可能とし、光源の交換作業を容易にした歯科治療用ワークテーブルを提供する。【解決手段】フィルムビュアパネル部材１１は、前後面の少なくとも一方の面が透光性部材で形成され、下部が開口されている筐体から成り、前記透光性部材から成る前面及び／又は後面にレントゲン写真１２が装着されるようになっている。光源基台１４は、フィルムビュアパネル部材１１の下部が装着される開口（凹部）１４′を有し、該凹部１４′内にはフィルムビュアパネル部材１１が装着されたときに、該フィルムビュアパネル部材の下部開口部に収容される光源１３を有する。光源基台１４にフィルムビュアパネル部材１１の下部が装着されたときに、光源１３からの光がフィルムビュアパネル部材１１の筐体内を通って前後面の少なくとも一方の面から照射される。【選択図】図１
2005301098.tif 000002
【特許請求の範囲】
【請求項１】
前後面の少なくとも一方の面が透光性部材で形成され、下部が開口されている筐体から成り、前記透光性部材から成る前面及び／又は後面にレントゲン写真が装着されるフィルムビュアパネル部材と、該フィルムビュアパネル部材の下部が装着され、装着されたときに、該フィルムビュアパネル部材の下部開口部に収容される光源を有する光源基台とから成り、該光源基台に前記フィルムビュアパネル部材の下部が装着されたときに、前記光源からの光が前記フィルムビュアパネル部材の筐体内を通って前記前後面の少なくとも一方の面から照射されるようにしたことを特徴とする歯科治療用フィルムビュア。
【請求項２】
前後面の少なくとも一方の面がレントゲン写真を装着可能に形成され、下端部が中空に形成されたフィルムビュアパネル部材と、該フィルムビュアパネル部材の下部が装着されたときに、該フィルムビュア部材の下部中空部に収容される光源を有する光源基台とから成り、該光源基台に前記フィルムビュアパネル部材の下部が装着されたときに、前記光源からの光が前記フィルムビュアパネル部材を通して該フィルムビュアパネル部材の前記前後面の少なくとも一方の面から照射されるようにしたことを特徴とする歯科治療用フィルムビュア。
【請求項３】
請求項１又は２に記載の歯科治療用フィルムビュアにおいて、前記光源基台が歯科治療用ワークテーブルであることを特徴とする歯科治療用フィルムビュア。
【発明の詳細な説明】
【技術分野】
【０００１】
本発明は、歯科治療用フィルムビュアに関し、より詳細には、光源部とレントゲン写真を装着するパネル部とを分離可能とした歯科治療用フィルムビュアに関する。
【背景技術】
【０００２】
歯科治療において使用されている従来のフィルムビュアは、蛍光灯等の光源をフィルムビュア本体に内蔵しており（例えば、特許文献１参照）、このため、電源コードを通すアームや、使用中の光源（例えば、蛍光灯）を取り外し、新しい光源と交換するため、フィルムビュア本体に取り外し可能なカバーを必要としていた。そのため、一方の面をレントゲンフィルム観察用のパネル面とすると、他方の面が光源交換用のカバーとなってしまい、使い勝手が悪く、また、光の利用効率が悪い等の問題があった。
【特許文献１】特開平１１−２２１２４２号公報
【発明の開示】
【発明が解決しようとする課題】
【０００３】
本発明は、上述のごとき実情に鑑みてなされたもので、光源部とフィルムビュアパネル部とを分離可能として、フィルムビュアパネル部に光源を内蔵させない構造とし、フィルムビュアパネル部に光源交換用のカバーを不要とし、もって、フィルムビュア部材の両面をフィルムビュアパネル面として使用可能とし、或いは、一方の面を反射面として光の利用効率を向上させるようにしたものである。
【課題を解決するための手段】
【０００４】
請求項１の発明は、前後面の少なくとも一方の面が透光性部材で形成され、下部が開口されている筐体から成り、前記透光性部材から成る前面及び／又は後面にレントゲン写真が装着されるフィルムビュアパネル部材と、該フィルムビュアパネル部材の下部が装着され、装着されたときに、該フィルムビュアパネル部材の下部開口部に収容される光源を有する光源基台とから成り、該光源基台に前記フィルムビュアパネル部材の下部が装着されたときに、前記光源からの光が前記フィルムビュアパネル部材の筐体内を通って前記前後面の少なくとも一方の面から照射されるようにしたことを特徴としたものである。
【０００５】
請求項２の発明は、前後面の少なくとも一方の面がレントゲン写真を装着可能に形成され、下端部が中空に形成されたフィルムビュアパネル部材と、該フィルムビュアパネル部材の下部が装着されたときに、該フィルムビュア部材の下部中空部に収容される光源を有する光源基台とから成り、該光源基台に前記フィルムビュアパネル部材の下部が装着されたときに、前記光源からの光が前記フィルムビュアパネル部材を通して該フィルムビュアパネル部材の前記前後面の少なくとも一方の面から照射されるようにしたことを特徴としたものである。
【０００６】
請求項３の発明は、請求項１又は２の発明において、前記光源基台が歯科治療用ワークテーブルであることを特徴としたものである。
【発明の効果】
【０００７】
歯科治療用フィルムビュアの光源部とフィルムビュアパネル部とを別体にすることによって、光源部とフィルムビュアパネル部を夫々独立して取り扱うことができ、フィルムビュアパネル部の構造が非常に簡単になり、非常に取り扱いやすくなった。
【発明を実施するための最良の形態】
【０００８】
図１は、本発明の歯科治療用フィルムビュアを説明するための概略構成図で、図中、１０はフィルムビュア、１１は透明又は半透明の例えば樹脂製の透光性部材からなるフィルムビュアパネル部材、１２は該フィルムビュアパネル部材１１のパネル面に装着されたレントゲン写真、１３は光源で、ここでは光源として蛍光灯の例を示してあるがＬＥＤでもよい。１４は光源１３を有する光源基台で、該光源基台１４には光源１３が配設されている凹部（開口）１４′を有し、該凹部１４′にフィルムビュアパネル部材１１が挿入装着されるようになっている。本発明においては、フィルムビュアパネル部材１１と光源を収容した光源基台１４とが別体に構成されており、フィルムビュアパネル部材１１は光源基台１４に着脱自在に装着されるようになっている。なお、図１は、フィルムビュアパネル部材１１を光源基台１４に装着する前の状態を示している。
【０００９】
図２（Ａ）〜図２（Ｃ）はフィルムビュアパネル部材１１を光源基台１４に装着した時の、図１のII−II線断面構成の例を示す図で、図２（Ａ）、図２（Ｂ）は、フィルムビュアパネル部材１１が、表面側１１ａと裏面側１１ｂが一体的に形成され、下部が開口された中空の筐体から成り、下部の開口部が光源基台１４の凹部１４′に着脱自在に挿入装着されるようになっている例を示し、装着された時に、光源１３が下部開口内に入り、該光源１３からの光がフィルムビュアパネル部材１１の中空内に導かれるようになっている。
【００１０】
図２（Ａ）に示した例は、フィルムビュアパネル部材１１内に導入された光が、該フィルムビュアパネル部材１１の前後両面から放射されるようにして、該フィルムビュアパネル部材１１の表裏両面をフィルムビュアパネル面として利用できるようにした例であり、図２（Ｂ）に示した例は、表裏いずれか一方の面を反射面１５に形成して、該反射面１５からの光を他方の面のフィルムビュアパネル面より放射するようにして、光の利用効率を図ったものである。なお、図２（Ａ）、図２（Ｂ）には、フィルムビュアパネル部材１１を樹脂製の透光性部材で一体形成した例を示したが、前後面を別部材にて構成してもよい。
【００１１】
また、図２（Ｃ）に示した例は、フィルムビュアパネル部材１１の下部のみを中空１１′にして、該下部を光源基体１４の凹部１４′に着脱自在に装着可能に構成するとともに、装着した時に、該下部の中空部に光源（光源として、ＬＥＤを使用した場合の例）１３が収容されるようにし、該光源１３からの光を上部の透光部（透光性の樹脂部）１１を通して、前述のように、表裏両面から或いはいずれか一方の面から放射されるようにしたものである。なお、図２（Ｄ）は、フィルムビュアパネル部材を使用しないときの光源基台１４の光源部の上部開口を閉塞する蓋部材１６の一例を示す図で、フィルムビュアパネル部材１１を使用しない時は、図２（Ｄ）に示すように、蓋部材１６によって該光源基台１４の上部開口を閉塞しておくと、光源基台１４からフィルムビュアパネル部材１１が突出して作業の邪魔になるようなことはなく、また、光源１３に塵埃が侵入して着付したり、光源１３の上に物が落下したりして、光源１３からの光を遮断したり、光源１３を破損したりする等の恐れがなくなる。
【００１２】
上述のように本発明によると、フィルムビュアパネル部材と光源を収容した光源基台とが分離可能であるので、フィルムビュアパネル部材１１と光源１３とを個別に取り扱うことができ、例えば、光源１３として蛍光灯を用いた場合に、ランプ切れになった時に、蛍光灯を交換する作業が非常に楽になる。なお、光源としてＬＥＤを用いた場合は、ランプ交換の必要が無く、また、蛍光灯を用いた場合に比べて光の損失が少なく（下方へ向かう光がなく）、光の利用効率が良い。
【００１３】
図３は、本発明の歯科治療用フィルムビュアの一実施例を説明するための概略構成図で、図中、１０はフィルムビュア、１１はフィルムビュアパネル部材、２０はスタンド（光源基台）で、該スタンド２０の内部には、図１に示したように、光源１３が設けられており、該光源１３は電源コード２１から供給される電源によって点灯される。術者や患者がレントゲン写真を見る際には、スタンド２０にフィルムビュアパネル部材１１を装着して、スタンド２０を、例えば、歯科治療ユニットのワークテーブル等の上に置き、レントゲン写真１４をフィルムビュアパネル部材１１のパネル面に装着して観察する。
【００１４】
図４は、本発明の歯科治療用ワークテーブルの他の実施例を説明するための概略構成図で、３０は歯科治療用のワークテーブル、３１はフィルムビュアパネル部材１１が挿入される凹部で、該凹部３１の底部には、図１に示したように、光源１３が設けられている。術者や患者がレントゲン写真を見る際には、ワークテーブル３０の凹部３１にフィルムビュアパネル部材１１を挿入して、レントゲン写真をパネル部材に装着する。
【図面の簡単な説明】
【００１５】
【図１】本発明の歯科治療用フィルムビュアを説明するための概略構成図である。
【図２】本発明によるフィルムビュアの使用時の例を説明するための図である。
【図３】本発明の歯科治療用フィルムビュアの一実施例を説明するための概略構成図である。
【図４】本発明の歯科治療用ワークテーブルの他の実施例を説明するための概略構成図である。
【符号の説明】
【００１６】
１０…フィルムビュア、１１…フィルムビュアパネル部材、１２…レントゲン写真、１３…光源、１４…光源基台、１５…反射面、１６…蓋部材、２０…スタンド（光源基台）、２１…電源コード、３０…ワークテーブル（光源基台）、３１…凹部。
【図１】
2005301098.tif 000003
【図２】
2005301098.tif 000004
【図３】
2005301098.tif 000005
【図４】
2005301098.tif 000006